(57)【特許請求の範囲】
【請求項１】
高い圧力を持ったガスが供給されるガス通路に設けた段差部と、前記段差部に対し摺動可能に配置され中心に小さい断面積を持った小流路を形成すると共に外周に大きい断面積を持った大流路を形成し且つ前記段差部と当接したとき該大流路が段差部によって遮蔽されるように構成した仕切部材と、前記仕切部材をガス通路に於けるガスの流通方向上流側に付勢する付勢部材と、を有する断熱圧縮防止構造に於いて、前記仕切部材に於ける上流側の端面よりも下流側に小流路と大流路を連通させた連通路を形成したことを特徴とする断熱圧縮防止構造。
【請求項２】
前記仕切部材に形成した連通路が、該仕切部材の側面に形成され且つ中心に形成された小流路と外周に形成された大流路とを結ぶ穴であることを特徴とする請求項１に記載した断熱圧縮防止構造。
【請求項３】
前記仕切部材に形成した連通路が、該仕切部材に於けるガスの流通方向下流側に形成され且つ中心に形成された小流路と外周に形成された大流路とを結ぶ溝であることを特徴とする請求項１に記載した断熱圧縮防止構造。
【請求項４】
減圧機構を内蔵し一次側から供給された高い圧力を持ったガスを減圧して二次側に供給し得るように構成した圧力調整器に於いて、一次側のガス通路に請求項１乃至請求項３の何れかに記載した断熱圧縮防止構造を設けたことを特徴とする圧力調整器。
【発明の詳細な説明】
【技術分野】
【０００１】
本発明は、一次側から高圧ガスを供給したときに生じる虞のある断熱圧縮を防止し得るように構成した断熱圧縮防止構造であって、特に、ゴミやホコリの影響を排除した断熱圧縮防止構造と、この構造を設けた圧力調整器に関するものである。
【背景技術】
【０００２】
例えば末端が閉鎖された又は断面積が空隙に絞られた大気圧の系に高圧ガスを供給したとき、この系が断熱圧縮してガスの温度が上昇する現象が生じる。高圧ガスが酸素のような支燃性を持ったガスである場合、ガスの温度上昇によって系を構成する配管や弁等に悪影響を及ぼす虞がある。
【０００３】
上記の如き系の一つにマニホールドがある。例えば酸素マニホールドは、圧力調整装置と複数の導管を取り付けた供給配管を有しており、夫々の導管に酸素ボンベを取り付けて開放することで、各酸素ボンベに充填された高圧酸素を集合させ、この酸素を圧力調整装置で予め設定された圧力に減圧して、例えば工場の屋内配管に供給し得るように構成されている。
【０００４】
上記マニホールドでは、新しい酸素ボンベを導管に取り付けてバルブを開放すると、供給配管には充填された酸素が持つ高圧が作用して断熱圧縮が生じ、該供給配管に残存しているガス、供給された酸素、供給配管の温度が上昇する。このため、高圧ガス配管系、特に、高圧酸素配管系には断熱圧縮を防止し得る機構を設けるのが一般的である。
【０００５】
また上記の如き系の他の一つに圧力調整器がある。この圧力調整器は、ガスボンベや屋内配管を含む一次側の供給部材に接続される一次側接続部と、一次側の供給部材から供給された高圧ガスを減圧する減圧機構と、減圧された低圧ガスを二次側の被供給部材に供給するために該二次側の被供給部材を接続する二次側接続部とを有して構成される。
【０００６】
上記圧力調整器では、一次側の供給部材に接続して高圧ガスの供給を開始したとき、減圧機構と一次側接続部との間の空間に断熱圧縮現象が生じ、これに伴って熱が発生し、予め存在していた気体、高圧ガス、周囲の温度が上昇するという現象が生じる。特に、供給されるガスが酸素であり、減圧機構を構成するダイヤフラムやシート部材が可燃性物質によって形成されているような場合、断熱圧縮に伴って生じる熱がダイヤフラムやシート部材に悪影響を及ぼす虞がある。
【０００７】
このため、特許文献１に開示されるような、断熱圧縮を生じさせることがない酸素調整器が提案されている。前記酸素調整器は、高圧ガスボンベに連通するスリーブを調整器本体に設け、スリーブの内面に、弁と、これを作動させるコイルばねを収容し、前記弁は外周に凹部を設けてスリーブ内面との間に大流路を形成し、中心の小孔を小流路とし、前記弁により、大流路を塞ぐ弁座部を形成して構成されたものである。
【０００８】
上記酸素調整器は、高圧ガスボンベに取り付けた状態では、弁はコイルばねに付勢されて弁座部から離脱しており、スリーブの内部は弁の小流路と大流路が連通している。この状態で高圧ガスボンベを開放して高圧ガスを供給すると、供給された高圧ガスが弁の上流側の端面に作用して弁が弁座部に当接することで大流路が塞がれる。このため、高圧ガスは弁の中心に設けた小流路から流れることとなり、下流側に存在する気体に対し瞬時に高い圧力が作用することがなく、断熱圧縮を防止することができる。そして弁の下流側の圧力が一次側の圧力に接近するとコイルばねの作用で弁が移動し、弁座による大流路の閉塞が開放されて、一次側から減圧機構側に大流量の高圧ガスが供給される。
【０００９】
このように、特許文献１の技術では、酸素調整器に対し一次側から高圧ガスを供給することに伴う断熱圧縮を防止することができ、これにより、減圧機構を構成するダイヤフラムやシート部材を加熱する虞がなく、安全な酸素調整器を構成することができる。
【００１０】
また特許文献１に記載された断熱圧縮を防止するための構造は、高圧ガスの配管系にも適用されており、該配管系に於ける断熱圧縮を防止して安全性の高い配管系を実現するのに寄与している。
【００１１】
【特許文献１】実公平４−１９２８０号公報
【発明の開示】
【発明が解決しようとする課題】
【００１２】
しかし、上記したマニホールドや圧力調整器は、常に酸素ボンベを取り付けていたり、酸素ボンベや屋内配管を含む一次側のガス供給部に取り付けておくものではなく、頻繁に着脱を繰り返して利用するものであるため、弁の上流側にゴミやホコリが入り込んで中心に形成した小流路を塞いでしまうことがある。この場合、高圧ガスの供給に伴って、弁が弁座部に当接して大流路が塞がれ、且つ小流路がゴミやホコリに塞がれることにより、高圧ガスが弁の下流側にある減圧機構に流通しなくなる、という問題が生じる。
【００１３】
本発明の目的は、中心に設けた小流路が入り込んだゴミやホコリによって塞がれたような場合でも、断熱圧縮を防止して高圧ガスを流通させることができる断熱圧縮防止構造と、この断熱圧縮防止構造を利用した圧力調整器を提供することにある。
【課題を解決するための手段】
【００１４】
上記課題を解決するために本発明に係る断熱圧縮防止構造は、高い圧力を持ったガスが供給されるガス通路に設けた段差部と、前記段差部に対し摺動可能に配置され中心に小さい断面積を持った小流路を形成すると共に外周に大きい断面積を持った大流路を形成し且つ前記段差部と当接したとき該大流路が段差部によって遮蔽されるように構成した仕切部材と、前記仕切部材をガス通路に於けるガスの流通方向上流側に付勢する付勢部材と、を有する断熱圧縮防止構造に於いて、前記仕切部材に於ける上流側の端面よりも下流側に小流路と大流路を連通させた連通路を形成したものである。
【００１５】
上記断熱圧縮防止構造に於いて、仕切部材に形成した連通路が、仕切部材の側面に形成され且つ中心に形成された小流路と外周に形成された大流路とを結ぶ穴であるか、又は仕切部材に於けるガスの流通方向下流側に形成され且つ中心に形成された小流路と外周に形成された大流路とを結ぶ溝であることが好ましい。
【００１６】
また本発明に係る圧力調整器は、減圧機構を内蔵し一次側から供給された高い圧力を持ったガスを減圧して二次側に供給し得るように構成した圧力調整器に於いて、一次側のガス通路に上記の如く構成された何れかの断熱圧縮防止構造を設けたものである。
【発明の効果】
【００１７】
本発明に係る断熱圧縮防止構造では、仕切部材の中心に形成された小流路がゴミやホコリによって閉塞された場合でも、断熱圧縮を防止して一次側から供給された高圧ガスを安定した状態で供給することができる。
【００１８】
即ち、一次側から高圧ガスを供給したとき、仕切部材が段差部に当接して仕切部材の外周に形成した大流路が段差部によって塞がれたとしても、仕切部材の外周に形成した大流路に侵入した高圧ガスが連通路を通って中心の小流路に流通する。従って、仕切部材の下流側で断熱圧縮が生じることがない。そして、仕切部材の下流側の圧力が上昇すると、付勢部材の付勢力によって仕切部材が段差部から離隔して大流路が開放され、大流量の高圧ガスが下流側に流通する。
【００１９】
特に、仕切部材の中心に形成した小流路と、外周に形成した大流路とを連通させる連通路を、仕切部材の側面に形成した穴、或いは仕切部材の下流側の端面に形成した溝とすることによって、中心に形成した小流路が塞がれた場合でも、簡単な構造で確実に断熱圧縮を防止して、供給された高圧ガスを減圧機構に流通させることができる。
【００２０】
また本発明の圧力調整器では、仕切部材の中心に形成された小流路がゴミやホコリによって閉塞された場合でも、断熱圧縮を防止して一次側から供給された高圧ガスを減圧して二次側に安定した状態で供給することができる。
【００２１】
即ち、一次側から高圧ガスを供給したとき、仕切部材が段差部に当接して仕切部材の外周に形成した大流路が段差部によって塞がれたとしても、仕切部材の外周に形成した大流路に侵入した高圧ガスが連通路を通って中心の小流路に流通するため、仕切部材の下流側にある減圧機構の近傍で断熱圧縮が生じることがない。そして、仕切部材の下流側の圧力が上昇すると、付勢部材の付勢力によって仕切部材が段差部から離隔して大流路が開放され、大流量の高圧ガスが下流側に流通する。これにより、二次側に対する減圧されたガスを供給することができる。
【発明を実施するための最良の形態】
【００２２】
以下、本発明に係る断熱圧縮防止構造及びこの断熱圧縮防止構造を用いた圧力調整器の最も好ましい実施形態について説明する。本発明の断熱圧縮防止構造は、仕切部材の中心に設けた小流路と外周に設けた大流路を連通路で連通させることによって、小流路がゴミやホコリによって遮蔽された場合でも、高圧ガスが連通路を介して小流路に流入することで、仕切部材としての機能を発揮し得るように構成したものである。
【００２３】
従って、一次側の高圧ガスが供給されるガスボンベや、工場或いは病院等を含む屋内配管に着脱させて使用する際に、仕切部材の上流側にゴミやホコリが入り込んだ場合でも、断熱圧縮を防止して安定した且つ確実な高圧ガスの流れを確保することが可能である。
【００２４】
本発明の断熱圧縮防止構造では、一次側から供給される高圧ガスの種類を限定するものではなく、酸素や窒素或いは空気等のガスに適用することが可能である。しかし、支燃性を有する酸素を対象とすることによって、適用された系に対し高い安全性を確保することが可能となる。
【００２５】
本発明の断熱圧縮防止構造に於いて、一次側の高圧ガスが供給される経路に設けた段差部に摺動可能に配置された仕切部材には、中心に形成された小流路と外周に形成された大流路とを連通する連通路が形成されている。小流路の断面積は一次側から供給された高圧ガスが瞬時に減圧機構に到達することを防止し得る程度の値である。
【００２６】
しかし、小流路は仕切部材の中心を貫通して構成される必要はなく、加工上の面から見ると、小流路の長さは可及的に短いことが好ましく、従って、仕切部材の中心であって上流側に断面積の小さい小径部を形成すると共に該小流路の下流側に断面積が大きく加工が容易な大径部を連続させて小流路を構成することが好ましい。
【００２７】
仕切部材に形成する連通路は、該仕切部材の側面に穴を形成することで外周の大流路と中心の小流路とを連通させて構成することが可能である。例えば、小流路が小径部と大径部とによって構成されている場合、連通路を小径部に接続する場合には該連通路の径は小径部の径に関わらず充分に大きい径とすることが可能である。また連通路を大径部に接続する場合には該連通路の断面積は小径部の断面積と同程度であることが必要である。
【００２８】
また仕切部材に形成する連通路を、該仕切部材の下流側の端面に溝を形成することで外周の大流路と中心の小流路とを連通させて構成することが可能である。例えば、小流路が小径部のみによって構成されている場合、連通路の断面積は小径部の径に関わらず充分に大きい値とすることが可能である。また小流路が小径部と大径部とによって構成されている場合、連通路の断面積は小径部の断面積と同程度であることが必要である。
【００２９】
本発明に係る圧力調整器は、高圧ガスが供給される一次側に前述した何れかの断熱圧縮防止構造を設けることで、減圧機構の近傍で生じる虞のある断熱圧縮を防止したものである。従って、一次側に配置された仕切部材の上流側にゴミやホコリが入り込んだ場合でも、安定した且つ確実な高圧ガスの流れを確保することが可能である。
【００３０】
本発明の圧力調整器は断熱圧縮を防止することから、供給される高圧ガスの種類を限定するものではないものの、支燃性を有する酸素の圧力調整器として使用することによって高い安全性を確保することが可能となり好ましい。
【実施例１】
【００３１】
次に、本発明に係る断熱圧縮防止構造を採用した圧力調整器の実施例について説明する。図１は圧力調整器の構成を説明する図である。図２は第１実施例に係る仕切部材の構成を説明する図である。図３は仕切部材の作用を説明する図である。
【００３２】
先ず、図１により圧力調整器Ａの構成について簡単に説明する。この圧力調整器Ａは、医療用酸素を患者に供給するための酸素供給器として構成されており、図示しない医療用の酸素ボンベに着脱可能に取り付けられ、該酸素ボンベに充填された高圧酸素を減圧して低圧酸素とすると共に、選択された流量を保持して患者が装着した酸素マスクやカニューラに供給し得るように構成されている。
【００３３】
圧力調整器Ａのケーシング１には一次側の供給部材である酸素ボンベの吐出口に取り付けられる装着部材２が固定されており、該装着部材２を嵌合した袋ナット３を利用して着脱可能し得るように構成されている。
【００３４】
装着部材２を長手方向に貫通して一次側のガス通路４が構成されている。前記ガス通路４に於ける装着部材２の自由端側には仕切部材５を摺動可能に収容する段差部６が形成されている。段差部６は、仕切部材５の下流側の端面５ｅが当接したときに該仕切部材５の外周に構成された大流路５ｈを遮蔽し得る寸法を持って形成された段差端面６ａと、仕切部材５の外周に形成された平面５ｆと共に大流路５ｈを構成する内周面６ｂとを有して構成されている。
【００３５】
段差部６のケーシング１側には、仕切部材５を装着部材２の自由端側に付勢する付勢部材となるばね７を収容する収容部８が連続して形成されている。更に、ガス通路４の端部には中心に酸素ボンベに充填された高圧酸素を通す穴９ａが設けられ、且つばね８に付勢された仕切部材５の移動限界を規定する規定部材９が固定されている。更に、段差部６を覆うようにフィルター１０が配置されており、該フィルター１０が規定部材９によって保持されている。
【００３６】
ケーシング１の内部には、ガス通路４と連通して該ガス通路４を通った高圧酸素を減圧する減圧機構１１が構成されている。この減圧機構は、ノズル１１ａとシート１１ｂを有しており、該シート１１ｂはばね１２によってノズル１１ａから離隔する方向に付勢されたピストン１３に取り付けられている。従って、高圧酸素が供給されることのない状態では、シート１１ｂはノズル１１ａから離隔しており、高圧酸素がノズル１１ｂから二次圧室１４に流れる過程で減圧される。減圧された酸素は二次圧室１４と連通した室１５にも供給され、ピストン１３の面積が二次圧室１４の面積よりも大きいため、ピストン１３はシート１１ｂをノズル１１ａに接近させる方向に移動し、ノズル１１ａとシート１１ｂとの離隔距離が一定に保持される。
【００３７】
二次圧室１４に連続して減圧された酸素を二次側に供給する供給孔１６が形成されており、該供給孔１６に対向して二次側のガス通路１７が構成されている。このガス通路１７には、患者が装着する酸素マスクやカニューラに減圧された酸素を供給するチューブを取り付けるためのターミナル１８が配置されると共にケーシング１に固定されている。
【００３８】
また供給孔１６とガス通路１７との間に、径の異なる複数のオリフィス１９ａが形成されたセレクター１９が配置されている。このセレクター１９はハンドル２０に固定されており、該ハンドル２０を外部から操作してセレクター１９を回転させ、供給孔１６に所望の径を持ったオリフィス１９ａを対向させることで、二次側に対する酸素の供給流量を設定することが可能である。
【００３９】
次に、図２により仕切部材５の構成について説明する。図に示すように、仕切部材５の中心には断面積が小さい小流路５ａが形成されている。この小流路５ａは、上流側の端面５ｄ側に小径部５ｂが形成され、下流側の端面５ｅ側に大径部５ｃが連続して形成されることで構成されている。小径部５ｂの径及び大径部５ｃの径は、圧力調整器Ａに供給する一次側の圧力の値に応じて適宜設定される。
【００４０】
仕切部材５は外形が略六角形に形成されており、該六角形の頂部５ｆが内接する円（一点鎖線で示す）と平面５ｇとで構成される隙間が大流路５ｈとしての機能を発揮するように構成されている。
【００４１】
尚、仕切部材５はガス通路４に設けた段差部６に対し摺動可能に配置されるため、頂部５ｆは段差部６の内周面６ｂに対し円滑に摺動し得るような寸法と平滑さを確保して構成されている。また対向する二つの平面５ｇ間の寸法は段差部６の段差端面６ａによって遮蔽し得る寸法を持って形成されている。
【００４２】
仕切部材５の大流路５ｈを構成する平面５ｇから小流路５ａの小径部５ｂに向けて連通路を構成する穴２５が形成されている。この穴２５は、仕切部材５の対向する二つの平面５ｇを貫通して形成されていても良く、一つの平面５ｇから小径部５ｂに到達させた状態で形成されていても良い。
【００４３】
上記の如く構成された圧力調整器Ａでは、酸素ボンベに取り付け、該酸素ボンベから高圧酸素を供給していない状態では、図３（ａ）に示すように、仕切部材５はばね７によって高圧酸素の供給側に配置されたフィルター１０側に付勢され、この付勢状態を保持している。
【００４４】
上記状態から酸素ボンベを開放すると、高圧酸素がフィルター１０を通って供給され、この圧力が仕切部材５の上流側の端面５ｄに作用し、ばね７による付勢力に抗して下流側に摺動し、同図（ｂ）に示すように、下流側の端面５ｅが段差部６の段差端面６ａに当接する。この状態では、仕切部材５の平面５ｇと段差部６の内周面６ｂとによって構成された大流路５ｈが段差端面６ａによって遮蔽されている。
【００４５】
例えば、上記状態で仕切部材５の上流側の端面５ｄにゴミやホコリが付着して小流路５ａを構成する小径部５ｂが閉鎖されているような場合、フィルター１０を通して供給された高圧酸素は、仕切部材５の平面５ｇと段差部６の内周面６ｂとの間に流入し、該平面５ｇに形成された穴２５から小流路５ａを構成する小径部５ｂに供給され、小流路５ａを介してガス通路４に流れ込み、減圧機構１１を構成するノズル１１ａに供給される。
【００４６】
上記の如く、仕切部材５に於ける小流路５ａに、一つの小径部５ｂ及び二つの穴２５が接続されることとなり、小径部５ｂの上流側の端面５ｄに於ける開口部分がゴミやホコリによって遮蔽されていても、穴２５が開放されていることで、前記不具合に関わらず、高圧酸素を減圧機構１１に供給することが可能となる。
【００４７】
減圧機構１１に流れる高圧酸素は、仕切部材５の小流路５ａによって絞られることとなり、ノズル１１ａ及びシート１１ｂの近傍での断熱圧縮を防止することが可能である。
【００４８】
減圧機構１１に対して充分な高圧酸素が供給されて圧力が上昇すると、ばね７による仕切部材５に対する付勢が復活する。このとき、減圧された酸素が二次側に供給されていない状態では、同図（ａ）に示すように、仕切部材５がフィルター１０に当接する。また減圧された酸素が二次側に供給され、ガス通路４に高圧酸素の流れが形成されている場合には、同図（ｃ）に示すように、仕切部材５は段差部６で浮遊するような位置を保持する。
【実施例２】
【００４９】
次に、仕切部材の第２実施例について図を用いて説明する。図４は第２実施例に係る仕切部材の構成を説明する図である。尚、図に於いて前述の実施例と同一部分及び同一の機能を有する部分には同一の符号を付して説明を省略する。
【００５０】
本実施例では、仕切部材５の下流側の端面５ｅに、大流路５ｈを構成する平面５ｇと小流路５ａを構成する大径部５ｃを結んで連通路となる溝２６を構成したものである。前述したように、溝２６の断面積は、該溝２６が小流路５ａを構成する小径部５ｂに接続されるか或いは大径部５ｃに接続されるか、に応じて適宜設定される。
【００５１】
即ち、小流路５ａが、小径部５ｂを仕切部材５に貫通させて構成されている場合、溝２６の断面積は小流路５ａの断面積に比較して充分に大きい値とすることが可能である。しかし、本実施例のように、小流路５ａが、小径部５ｂと大径部５ｃを連続して構成されており、溝２６が大径部５ｃに接続されるものである場合、該溝２６の断面積は小流路５ａの断面積と略同じ値を持つように構成される。
【００５２】
上記の如く構成された仕切部材５を用いた場合でも、小流路５ａの上流側の端面５ｄに於ける開口部分がゴミやホコリによって閉塞された場合、供給された高圧酸素を溝２６を介して小流路５ａに供給し、更に減圧機構１１に到達させることが可能である。
【実施例３】
【００５３】
次に、本発明に係る断熱圧縮防止構造を採用した導管の実施例について説明する。図５は導管の構成を説明する図である。尚、図に於いて前述の実施例と同一の部分及び同一の機能を有する部分には同一の符号を付して説明を省略する。
【００５４】
図に示す導管Ｂは、図示しないマニホールドに於ける供給配管とガスボンベ（酸素ボンベ）を接続するためのものであり、所定の圧力でガスが充填されている新しいガスボンベを接続し、該ガスボンベを開放したときに供給配管側で生じる虞のある断熱圧縮を防止し得るように構成されている。
【００５５】
図に於いて、導管Ｂは金属製のパイプ３１の一方側の端部に内部に断熱圧縮防止構造を構成する一次側の通路となるガス通路４が形成され、該ガス通路４に仕切部材５を配置した装着部材２がロー付け等の手段で固定されている。尚、装着部材２には予め袋ナット３が取り付けられており、該袋ナット３を図示しないガスボンベの口金に締結することで、導管Ｂをガスボンベに接続し得るように構成されている。
【００５６】
パイプ３１の他方の端部には、例えばマニホールドを構成する供給配管に着脱されるソケット３２及び袋ナット３３が取り付けられている。例えば導管Ｂがマニホールドに適用される場合、袋ナット３３は供給配管に設けたターミナルに締結された状態を保持し、空になったガスボンベを取り外す場合は、袋ナット３の操作によるのが一般的である。
【００５７】
装着部材２の内部に形成されたガス通路４には段差部６が形成されており、この段差部６に仕切部材５が摺動可能に配置されている。また段差部６に連続して収容する収容部８が形成されており、この収容部８に仕切部材５を規制部材９側に付勢するばね７が収容されている。
【００５８】
従って、導管Ｂを構成する装着部材２には、前述した第１実施例に係る圧力調整器Ａと同様な断熱圧縮防止構造が構成されていることとなる。このため、導管Ｂの袋ナット３をガスボンベに締結して該ガスボンベを開放したとき、ガスボンベから供給された高圧ガスは仕切部材５の小流路を通ってパイプ３１に流入することになり、該パイプ３１の内部の圧力が急激に上昇することがない。従って、パイプ３１内に於ける断熱圧縮を防止することが可能となり、温度が上昇することがない。
【産業上の利用可能性】
【００５９】
本発明に係る断熱圧縮防止構造では、仕切部材５の小流路５ａがゴミやホコリによって閉塞された場合でも、一次側から高圧ガスを供給したときの断熱圧縮を防止することが可能である。このため、酸素ガスの供給系に利用したときに高い安全性を確保することができるため有利である。
【００６０】
また本発明に係る圧力調整器Ａでは、一次側から高圧ガスを供給したときの断熱圧縮を防止して確実に減圧されたガスを二次側に供給することが可能となる。このため、安定したガスの供給が要求される例えば病院で使用する酸素供給装置として、或いは産業用の圧力調整器として有利に利用することが可能である。
【図面の簡単な説明】
【００６１】
【図１】断熱圧縮防止構造を用いた圧力調整器の構成を説明する図である。
【図２】第１実施例に係る仕切部材の構成を説明する図である。
【図３】仕切部材の作用を説明する図である。
【図４】第２実施例に係る仕切部材の構成を説明する図である。
【図５】断熱圧縮防止構造を用いた導管の構成を説明する図である。
【符号の説明】
【００６２】
Ａ                        圧力調整器
１                        ケーシング
２                        装着部材
３                        袋ナット
４                        ガス通路
５                        仕切部材
５ａ                      小流路
５ｂ                      小径部
５ｃ                      大流路
５ｄ                      上流側の端面
５ｅ                      下流側の端面
５ｆ                      頂部
５ｇ                      平面
５ｈ                      大流路
６                        段差部
６ａ                      段差端面
６ｂ                      内周面
７                        ばね
８                        収容部
９                        規定部材
９ａ                      穴
１０                      フィルター
１１                      減圧機構
１１ａ                    ノズル
１１ｂ                    シート
１２                      ばね
１３                      ピストン
１４                      二次圧室
１５                      室
１６                      供給孔
１７                      ガス通路
１８                      ターミナル
１９                      セレクター
１９ａ                    オリフィス
２０                      ハンドル
２５                      穴
２６                      溝
３１                      パイプ
３２                      ソケット
３３                      袋ナット
【図１】
0004685556.tif 000002
【図２】
0004685556.tif 000003
【図３】
0004685556.tif 000004
【図４】
0004685556.tif 000005
【図５】
0004685556.tif 000006